(57)【特許請求の範囲】
【請求項１】
固定部に所定の係止具を介して基板を取り付ける基板取り付け構造であって、
前記係止具は、弾性変形可能に断面略コの字状に形成され、前記基板を前記固定部とともに挟持する挟持部と、
前記基板を挟持した状態で前記固定部と係合する係合部と、を備え、
前記基板は、所定の発光手段を備え、
前記挟持部は、前記発光手段からの光を拡散する拡散部を備え、
前記基板の取り付けに際して、前記挟持部が弾性変形することで前記係合部と前記固定部とが係合することを特徴とする基板取り付け構造。
【請求項２】
前記基板取り付け構造は、前記発光手段が前記拡散部を介して所定の透光性部材の端面に対向するように設けられ、
前記発光手段からの光が前記拡散部を介して前記端面から入射されるとともに、前記透光性部材内を伝播して前記透光性部材の他の端面から出射する請求項１記載の基板取り付け構造。
【請求項３】
固定部に所定の係止具を介して基板を取り付ける基板取り付け構造を備える遊技機であって、前記基板取り付け構造は、請求項１又は２記載の基板取り付け構造であることを特徴とする遊技機。
【発明の詳細な説明】
【技術分野】
【０００１】
本発明は、板状の固定部に所定の係止具を介して基板を取り付ける基板取り付け構造とこの基板取り付け構造を備える遊技機に関し、特に、ＬＥＤ基板などの小型基板を取り付けるための基板取り付け構造とこの基板取り付け構造を備える遊技機に関する。
【背景技術】
【０００２】
パチンコ機やスロットマシンなどの遊技機には、数多くの基板が取り付けられている。遊技機に取り付けられる基板としては、主制御基板、演出制御基板などの制御基板や、中継基板、スイッチ、センサ、ＬＥＤ（発光ダイオード）などの機能部品が実装される部品実装基板があり、特に、電飾に用いるＬＥＤ基板は、遊技機一台あたりの取り付け枚数が増加傾向にある。
【０００３】
従来、基板の取り付けには、ネジが用いられていた。しかしながら、数多くの基板が取り付けられる遊技機では、ネジ止め箇所が膨大な数になり、製造コストの上昇要因となっている。このような基板取り付けに関するコストの上昇は、ネジ止めに手間がかかるＬＥＤ基板などの小型基板が数多く取り付けられる遊技機ほど顕著となる。
【０００４】
そこで、ネジを用いることなく、係合により基板を取り付けることも提案されている。例えば、特許文献１に示される遊技機では、基板の固定部に基板の四辺に沿うリブを突設するとともに、リブの内側に複数の係合爪を形成している。このような基板取り付け構造によれば、基板を固定部のリブ内に押し込んで係合爪に係合させるだけで、基板の取り付けを完了させることができる。
【先行技術文献】
【特許文献】
【０００５】
【特許文献１】特開２００８−２４６２４７号公報
【発明の概要】
【発明が解決しようとする課題】
【０００６】
しかしながら、特許文献１に示される基板取り付け構造では、基板の固定部に基板の四辺に沿うリブを突設する必要があるので、金型の形状が複雑になり、却ってコスト高になるおそれがあった。
また、係合爪が形成されるリブにあっては、基板の押し込みに際して退避方向に弾性変形することが要求されるので、弾性変形不能な材質からなる固定部には適用が困難であった。
さらに、基板に設けられるＬＥＤからの光が点状になるため外観を損なうおそれがあった。
【０００７】
本発明は、上記の事情にかんがみなされたものであり、ネジを用いることなく、係合により基板の取り付けを可能にする基板取り付け構造と、この取り付け構造を備える遊技機の提供を目的とする。
【課題を解決するための手段】
【０００８】
上記目的を達成するため本発明の基板取り付け構造は、板状の固定部に所定の係止具を介して基板を取り付ける基板取り付け構造であって、前記係止具は、弾性変形可能に断面略コの字状に形成され、前記基板を前記固定部とともに挟持する挟持部と、前記基板を挟持した状態で前記固定部と係合する係合部と、を備え、前記基板の取り付けに際して、前記挟持部が弾性変形することで前記係合部と前記固定部とが係合する構成としてある。
【０００９】
また、本発明の遊技機は、板状の固定部に所定の係止具を介して基板を取り付ける基板取り付け構造を備える遊技機であって、前記基板取り付け構造を、上記の基板取り付け構造としてある。
【発明の効果】
【００１０】
以上のように、本発明によれば、ネジを用いることなく、係合により基板の取り付けを可能にすることができる。
【図面の簡単な説明】
【００１１】
【図１】本発明の一実施形態に係るスロットマシンの外観を示す概略斜視図である。
【図２】本発明の一実施形態に係るスロットマシンの内部構成を示す概略斜視図である。
【図３】本発明の一実施形態に係る基板取り付け構造を示す側断面図である。
【図４】本発明の一実施形態に係る基板取り付け構造を示す斜視図である。
【図５】本発明の一実施形態に係る基板取り付け構造の基板取り付け手順を示す斜視図である。
【図６】本発明の一実施形態に係る基板取り付け構造の固定部（基板取り付け部）を示す図であり、（ａ）は、固定部を背面側から見た斜視図、（ｂ）は、固定部のＡ−Ａ断面図、（ｃ）は、固定部の背面図である。
【図７】本発明の一実施形態に係る基板取り付け構造の係止具を示す図であり、（ａ）は、係止具の平面図、（ｂ）は、係止具の正面図、（ｃ）は、係止具の側面図である。
【図８】本発明の一実施形態に係る基板取り付け構造のスロットマシンにおける配置を示す斜視図である。
【発明を実施するための形態】
【００１２】
以下、本発明に係る基板取り付け構造と、この基板取り付け構造を備える遊技機の好ましい実施形態について、各図を参照して説明する。
遊技機には、パチンコ機、スロットマシン、アレンジボール、雀球など様々な機類があるが、本実施形態では、メダルを遊技媒体とするスロットマシンに本発明に係る基板取り付け構造を適用した場合について、図面を参照しつつ説明する。
【００１３】
［スロットマシン本体］
図１は、本発明の一実施形態に係るスロットマシンの外観を示す概略斜視図、図２は、本発明の一実施形態に係るスロットマシンの内部構成を示す概略斜視図である。
【００１４】
これらの図に示すように、本実施形態のスロットマシン１は、複数のリール４１ａ，４１ｂ，４１ｃを回転させることによって遊技媒体であるメダルを獲得することができる回胴式遊技機を構成している。
【００１５】
スロットマシン１は、内部がマイクロコンピュータ等で構成された制御部５０、制御部５０からの指令により、スピーカやＬＥＤ等のランプを制御する演出制御部６０、及び必要な機械、装置等を収納する正面側が開口した筐体１ｂと、筐体１ｂの正面側を開閉可能に覆う前扉１ａとで構成されている。
【００１６】
前扉１ａは、図２に示すように、スロットマシン１の筐体１ｂにヒンジ等を介して開閉可能に取り付けられる扉体で、この前扉１ａに遊技操作に係る複数の操作手段が設けられて、スロットマシン１の正面部を構成している。
【００１７】
操作手段としては、メダルが投入されるメダル投入口２と、各リール４１ａ，４１ｂ，４１ｃの回転を始動させるスタートレバー３と、回転している各リール４１ａ，４１ｂ，４１ｃを停止させる３つの停止ボタン５ａ，５ｂ，５ｃなどが設けられている。
さらに、前扉１ａには、各リール４１ａ，４１ｂ，４１ｃに表示された図柄を視認可能とする表示窓６が、各操作手段の上側に設けられている。また、前扉１ａ下部には、メダルを払い出すメダル払出口８、払い出されたメダルを貯留する貯留皿８１、効果音や警告音を出力するスピーカなどが設けられている。
また、前扉１ａには、透光性部材からなる前面パネル９が外装され、この前面パネル９が本発明の基板取り付け構造に設けられたＬＥＤにより照射されるようになっている（後述）。
【００１８】
筐体１ｂの中央には、リール４１ａ，４１ｂ，４１ｃと、各リール４１ａ，４１ｂ，４１ｃを回転させる図示しないモータ及び回転位置を検出するセンサ等を備えるドラムユニット４が設けられる。
また、筐体１ｂの下部には、メダルの貯留・払出しを行うメダル払出装置７が設けられる。メダル払出装置７には、メダルを貯留するホッパー７ａが設けられ、メダル投入口２より投入されたメダルは、メダルセレクタ２ａにより検出されるとともに、ホッパー７ａに誘導されるようになっている。
【００１９】
スロットマシン１では、上記の各操作手段からの信号やメダルセレクタ２ａからの信号に基づき、制御部５０が、ドラムユニット４、メダル払出装置７などの各装置を制御することで、以下のようなスロットマシン遊技が進行する。
【００２０】
具体的には、遊技者によりメダル投入口２からメダルが投入されると、メダルがメダルセレクタ２ａにより検出され、検出信号が制御部５０に入力される。制御部５０は、この検出信号の入力数からゲーム可能なメダル数を監視するとともに、スタートレバー３の操作を監視する。
ゲーム可能なメダル数となったときに、スタートレバー３が操作されると、制御部５０は、ドラムユニット４を駆動して、各リール４１ａ，４１ｂ，４１ｃを回転させる制御を行う。
【００２１】
さらに、制御部５０は、スタートレバー３が操作されたときに、ボーナスや小役等を抽せんする内部抽せんを行い、各停止ボタン５ａ，５ｂ，５ｃが押下操作されたタイミングに基づき、抽せん結果に応じた図柄の組合せで停止するよう、回転している各リール４１ａ，４１ｂ，４１ｃの停止制御を行う。
【００２２】
また、制御部５０は、各リール４１ａ，４１ｂ，４１ｃに停止表示される図柄の組合せを判定し、所定の図柄の組合せのときには、メダル払出装置７に対して所定数のメダルを払い出す制御を行い、メダルがメダル払出口８から払い出される。
【００２３】
また、スロットマシン１では、上述したようなスロットマシン遊技において、制御部５０が遊技状態に応じた所定の制御信号を演出制御部６０に出力することで、演出制御部６０が、この制御信号に従い、予め記憶した演出プログラムに基づきスピーカ及び後述のＬＥＤ３１等のランプを駆動して、所定の演出を行う。
【００２４】
そして、このように構成されたスロットマシン１に、本発明に係る基板取り付け構造が設けられている。
以下、本発明の一実施形態に係る基板取り付け構造の特徴的な構成について、図３、図４を参照して説明する。
なお、本実施形態では、スロットマシン１に取り付けられるＬＥＤ基板を例示しているが、本発明の基板取り付け構造は、ＬＥＤ基板に限らず、様々な基板に適用することができる。
【００２５】
［基板取り付け構造］
図３は、本発明の一実施形態に係る基板取り付け構造を示す側断面図、図４は、本発明の一実施形態に係る基板取り付け構造を示す斜視図、図５は、本発明の一実施形態に係る基板取り付け構造の基板取り付け手順を示す斜視図である。
これらの図に示すように、本発明の一実施形態に係る基板取り付け構造は、板状の固定部１０に所定の係止具２０を介して基板３０を取り付ける構成としてある。
【００２６】
係止具２０は、弾性変形可能に断面略コの字状に形成され、基板３０を固定部１０とともに挟持する挟持部２１と、基板３０を挟持した状態で固定部１０の係合爪１１と係合する係合孔（係合部）２２とを備えている。
そして、基板３０の取り付けに際しては、挟持部２１が弾性変形することで係合孔２２と固定部１０の係合爪１１とが係合するようになっている。
【００２７】
このような基板取り付け構造によれば、ネジを用いることなく、係合により基板３０の取り付けを可能にするものでありながら、固定部１０に基板３０の四辺に沿うリブを突設する必要がないので、固定部１０やその金型が複雑な形状になることを回避し、製造コストを抑えることができる。
また、基板３０の取り付けに際しては、係止具２０の挟持部２１が弾性変形することで係止具２０の係合孔２２と固定部１０の係合爪１１とが係合するので、弾性変形不能な材質からなる固定部１０においても、ネジを用いることなく、係合により基板３０を取り付けることができる。
【００２８】
固定部１０は、前方向側（コの字状開き方向側）に、この方向への基板３０の移動を規制する前方規制部１２と、左右方向側（コの字状と直交する方向側）への基板３０の移動を規制する左右規制部１３とを備えることが好ましい。
このようにすると、係止具２０による移動規制と併せ、基板３０のすべての方向への移動を規制することができる。
【００２９】
基板３０がＬＥＤ３１などの発光手段を備えるものである場合、係止具２０の挟持部２１に、発光手段からの光を拡散する拡散部２３を備えることが好ましい。
このようにすると、係止具２０を光の拡散部材に兼用できるので、拡散部材を別途設ける場合に比べ、部品点数の削減及びコストダウンが図れる。
【００３０】
次に、本発明の一実施形態に係る基板取り付け構造の固定部１０及び係止具２０について、図６及び図７を参照して詳細に説明する。
図６は、本発明の一実施形態に係る基板取り付け構造の固定部（基板取り付け部）を示す図であり、（ａ）は、固定部を背面側から見た斜視図、（ｂ）は、固定部のＡ−Ａ断面図、（ｃ）は、固定部の背面図である。
この図に示すように、本発明の一実施形態に係る基板取り付け部Ｔは、前後に貫通する四角筒部を有し、該四角筒部の上側壁部が前記固定部１０として機能し、四角筒部の左右側壁が前記左右規制部１３として機能するようになっている。
【００３１】
基板３０（約２０ｍｍ×２０ｍｍ）は、固定部１０の下面側に沿う位置に取り付けられるようになっており、この位置において、係止具２０の挟持部２１が基板３０を固定部１０とともに挟持することにより、基板３０の取り付け状態が維持されるようになっている。
そして、取り付け状態の基板３０は、固定部１０の下面前方側に突出形成される前方規制部１２によって前方向への移動が規制されるとともに、固定部１０の左右側壁からなる左右規制部１３によって左右方向への移動が規制され、さらに、係止具２０の挟持部２１によって後方向への移動が規制されることになる。
【００３２】
また、固定部１０の上面側には、係止具２０の係合孔２２と係合する係合爪１１が突出形成されている。係合爪１１の後面は、後側ほど高さが低くなる傾斜面１１ａとし、係合爪１１の前面は、固定部１０から垂直に立ち上がる直立面１１ｂとしてある。
【００３３】
図７は、本発明の一実施形態に係る基板取り付け構造の係止具を示す図であり、（ａ）は、係止具の平面図、（ｂ）は、係止具の正面図、（ｃ）は、係止具の側面図である。
この図に示すように、本発明の一実施形態に係る係止具２０は、ほぼ基板３０と同じ大きさを有するとともに（約２０ｍｍ×２０ｍｍ×１０ｍｍ）、全体として弾性変形可能に断面略コの字状に形成され、基板３０を固定部１０とともに挟持する挟持部２１を構成している。
また、挟持部２１の上片２１ａには、基板３０を挟持した状態で固定部１０の係合爪１１と係合する係合孔２２が形成されている。
【００３４】
基板３０の取り付けに際しては、挟持部２１が弾性変形することで係合孔２２と固定部１０の係合爪１１とが係合するようになっている。
つまり、基板３０及び固定部１０を挟持すべく、固定部１０に沿って係止具２０を前方にスライドさせて差し込むと、挟持部２１の上片２１ａが係合爪１１の傾斜面１１ａに乗り上げて上方に弾性変形し、その後、係合孔２２の前端が係合爪１１の直立面１１ｂを越えた段階で挟持部２１の上片２１ａが弾性復元し、係合孔２２が係合爪１１に係合される。
そして、係合孔２２が係合爪１１に係合した状態では、係合孔２２の前端縁が係合爪１１の直立面１１ｂに当接することにより、係止具２０の後方への移動が規制され、また、挟持部２１から下方に延出する当接部２４と基板取り付け部Ｔの後端面との当接と、前方規制部１２と挟持部２１との間にある基板３０により、係止具２０の前方への移動が規制されることになる。
【００３５】
上記のように基板３０を取り付けた後、基板３０の上面に実装されるコネクタ３２にケーブル（図示せず）を接続し、基板３０に対してＬＥＤ駆動電流を供給すると、基板３０の下面に実装されるＬＥＤ３１が発光駆動し、基板取り付け部Ｔの前側下方が照射される。
このとき、ＬＥＤ３１の下方を前記拡散部２３が覆うことにより、ＬＥＤ３１の光が拡散される。特に、ＬＥＤ３１がチップＬＥＤである場合、発光が点状となるので、拡散部２３で面発光状態とすることにより、ムラのない視認性の良い電飾効果が得られる。
【００３６】
本実施形態の拡散部２３は、挟持部２１の下片２１ｂから前方に延出する薄板部で構成されている。
また、挟持部２１の下片２１ｂには、上方に突出する２条のリブ２１ｃが形成されており、これらのリブ２１ｃで基板３０の下面を支持することにより、ＬＥＤ３１と拡散部２３とが所定の間隔をもって対向するようになっている。
なお、拡散部２３は、係止具２０の成形材料に拡散材を混ぜたり、成形材料を乳白色とすることにより、ムラのない光の拡散機能が得られる。
【００３７】
次に、本発明の一実施形態に係る基板取り付け構造の基板取り付け手順について、図４及び図５を参照して説明する。
図５に示すように、基板３０を固定部１０に取り付ける場合は、まず、基板３０を係止具２０の挟持部２１に側方又は前方から差し込む。
次に、係止具２０及び基板３０を固定部１０に後方からスライドさせて差し込む。このとき、挟持部２１の上片２１ａは、固定部１０の上面に沿わせ、基板３０は、固定部１０の下面に沿わせる。
【００３８】
固定部１０に沿って係止具２０及び基板３０を前方にスライドさせて差し込むと、挟持部２１の上片２１ａが係合爪１１の傾斜面１１ａに乗り上げて上方に弾性変形し、その後、係合孔２２の前端が係合爪１１の直立面１１ｂを越えた段階で挟持部２１の上片２１ａが弾性復元し、係合孔２２が係合爪１１に係合される。これにより、基板３０の取り付けが完了する。
【００３９】
そして、係合孔２２が係合爪１１に係合した状態では、係合孔２２の前端縁が係合爪１１の直立面１１ｂに当接することにより、係止具２０の後方への移動が規制され、また、挟持部２１から下方に延出する当接部２４が基板取り付け部Ｔの後端面に当接するとともに、前方規制部１２と挟持部２１との間にある基板３０により、係止具２０の前方への移動が規制されることになる。
【００４０】
また、取り付けられた基板３０は、固定部１０の下面前方側に突出形成される前方規制部１２によって前方向への移動が規制されるとともに、固定部１０の左右側壁からなる左右規制部１３によって左右方向への移動が規制され、さらに、係止具２０の挟持部２１によって後方向への移動が規制されることになる。
【００４１】
そして、基板３０を取り付けた後、基板３０の上面に実装されるコネクタ３２にケーブル（図示せず）を接続し、基板３０に対してＬＥＤ駆動電流を供給すると、基板３０の下面に実装されるＬＥＤ３１が発光駆動し、基板取り付け部Ｔの前側下方が照射される。
このとき、ＬＥＤ３１の下方を係止具２０の拡散部２３が覆うことにより、ＬＥＤ３１の光が拡散される。
【００４２】
次に、このＬＥＤ３１の発光による作用について説明する。
図８は、スロットマシン１における基板取り付け構造の配置を示す斜視図であり、下部円内は、基板取り付け部Ｔを前面側から見た拡大斜視図である。すなわち、この図におけるＢ−Ｂ断面が図６の（ｂ）となり、係止具２０及び基板３０を固定部１０に差し込んだ状態を示したものが図３となっている。
前面パネル９は、可視光透過率の高いガラス、アクリル樹脂、ポリカーボネート樹脂などの無色透明、有色透明、又は半透明の透光性部材からなり、図８に示すように、所定のピンやねじを用いて前扉１ａの前面を覆うように取り付けられている。前面パネル９には、表示窓６を外部に臨ませる上部開口９ａと、スタートレバー３等の操作手段を外部に臨ませる下部開口９ｂとが形成され、ＬＥＤ３１は、下部開口９ｂの端面９ｂ−１となる入射部９ｂ−２に対向配置されている。
【００４３】
具体的には、図３に示すように、ＬＥＤ３１は、拡散部２３を介して、入射部９ｂ−２と対向して配置され、拡散部２３により拡散された光は入射部９ｂ−２から前面パネル９に入射するようになっている。この入射光は、前面パネル９内を下方に伝播し、下部端面から外部に出射する。すなわち、前面パネル９が導光板となり、前面パネル９の下部端面が発光する。このとき、下部端面は拡散部２３によって拡散された光により発光するので、点状に発光することなく、広い範囲に亘ってムラなく発光する。
このように、基板取り付け構造に係る基板３０をＬＥＤ基板とするとともに、ＬＥＤ３１が拡散部２３を介して透光性部材となる前面パネル９の端面９ｂ−１に対向するように設けることで、ＬＥＤ３１からの光が拡散部２３を介して端面９ｂ−１から入射されるとともに、前面パネル９内を伝播して下部端面から出射するので、下部端面を広い範囲に亘ってムラなく発光させることができる。
【００４４】
以上のように構成された本実施形態によれば、板状の固定部１０に所定の係止具２０を介して基板３０を取り付ける基板取り付け構造であって、係止具２０は、弾性変形可能に断面略コの字状に形成され、基板３０を固定部１０とともに挟持する挟持部２１と、基板３０を挟持した状態で固定部１０と係合する係合孔２２と、を備え、基板３０の取り付けに際して、挟持部２１が弾性変形することで係合孔２２と固定部１０とが係合するので、ネジを用いることなく、係合により基板３０の取り付けを可能にするものでありながら、固定部１０に基板３０の四辺に沿うリブを突設する必要がない。その結果、固定部１０やその金型が複雑な形状になることを回避し、製造コストを抑えることができる。
【００４５】
また、基板３０の取り付けに際しては、係止具２０の挟持部２１が弾性変形することで係止具２０の係合孔２２と固定部１０の係合爪１１とが係合するので、弾性変形不能な材質からなる固定部１０においても、ネジを用いることなく、係合により基板３０を取り付けることができる。
また、基板３０をＬＥＤ基板とすることで、拡散部２３によって拡散された光により照射される範囲を広げることができる。
【００４６】
以上、本発明について、実施形態を示して説明したが、本発明は、上述した実施形態にのみ限定されるものではなく、特許請求の範囲内で種々の変更が可能であることは言うまでもない。
例えば、本実施形態に係る基板取り付け部Ｔは、前後に貫通する四角筒状に形成したが、板状に形成された固定部１０と、この固定部１０から突出形成される前方規制部１２と、固定部１０の左右側壁からなる左右規制部１３とが形成された、略コの字形状を有すれば足りる。
また、基板取り付け部Ｔを天地逆さに形成するとともに、係止具２０を基板３０とともに逆さに取り付けることで、ＬＥＤ３１により基板取り付け部Ｔの前側上方を照射させることもできる。
また、本実施形態では、基板３０の基板面を鉛直方向（下方）に向けて固定したが、水平方向に向けて固定し、ＬＥＤ３１により遊技機の正面を照射させることもできる。
また、基板３０は、ＬＥＤ基板に限らず、中継基板など任意な基板とすることができる。
このような前方規制部１２と左右規制部１３とを有する固定部１０（基板取り付け部Ｔ）を形成することで、基板３０を、係止具２０を介して遊技機内の任意な位置に取り付けることができる。
【産業上の利用可能性】
【００４７】
本発明は、板状の固定部にネジを用いることなく基板を取り付ける基板取り付け構造に適用でき、特に、ＬＥＤ基板などの小型基板が数多く取り付けられる遊技機に好適に用いることができる。
【符号の説明】
【００４８】
１  スロットマシン
１ａ  前扉
１ｂ  筐体
９  前面パネル
９ｂ−１  端面
１０  固定部
１１  係合爪
１１ａ  傾斜面
１１ｂ  直立面
１２  前方規制部
１３  左右規制部
２０  係止具
２１  挟持部
２１ａ  上片
２１ｂ  下片
２１ｃ  リブ
２２  係合孔
２３  拡散部
２４  当接部
３０  基板
３１  ＬＥＤ
３２  コネクタ
Ｔ  基板取り付け部
【図１】
0005593504.tif 000002
【図２】
0005593504.tif 000003
【図３】
0005593504.tif 000004
【図４】
0005593504.tif 000005
【図５】
0005593504.tif 000006
【図６】
0005593504.tif 000007
【図７】
0005593504.tif 000008
【図８】
0005593504.tif 000009